(57)【特許請求の範囲】
【請求項１】
１つのベアラのデータが複数の基地局間で分配され、当該分配されたベアラのデータが当該複数の基地局からユーザ装置に送信される移動通信システムにおける前記ユーザ装置であって、
前記複数の基地局から順次受信する前記ベアラのデータに抜けがあることを検出した場合に、タイマを起動し、当該タイマが満了するまでの間、前記抜けのデータを受信するまで、後続のデータの処理を中断して前記抜けのデータの受信を待つ制御を行う受信部と、
前記複数の基地局における複数のタイマ値に基づいて、前記タイマに設定する１つのタイマ値を決定するタイマ値決定部とを備え、
前記タイマ値決定部は、前記複数のタイマ値のうち、対応する基地局又はセルグループのインデックスが最大又は最小のタイマ値を前記１つのタイマ値として決定する
ことを特徴とするユーザ装置。
【請求項２】
１つのベアラのデータが複数の基地局間で分配され、当該分配されたベアラのデータが当該複数の基地局からユーザ装置に送信される移動通信システムにおける前記ユーザ装置であって、
前記複数の基地局から順次受信する前記ベアラのデータに抜けがあることを検出した場合に、タイマを起動し、当該タイマが満了するまでの間、前記抜けのデータを受信するまで、後続のデータの処理を中断して前記抜けのデータの受信を待つ制御を行う受信部と、
前記複数の基地局における複数のタイマ値に基づいて、前記タイマに設定する１つのタイマ値を決定するタイマ値決定部とを備え、
前記タイマ値決定部は、前記複数の基地局における各基地局から受信するデータの到来数又は到来頻度を測定し、当該測定結果と前記複数のタイマ値とに基づいて前記１つのタイマ値を決定する
ことを特徴とするユーザ装置。
【請求項３】
前記タイマ値決定部は、前記到来数又は到来頻度に基づいて、前記複数のタイマ値における各タイマ値に対する重みを算出し、当該重みを各タイマ値に加味することにより前記１つのタイマ値を決定する
ことを特徴とする請求項２に記載のユーザ装置。
【請求項４】
１つのベアラのデータが複数の基地局間で分配され、当該分配されたベアラのデータが当該複数の基地局からユーザ装置に送信される移動通信システムにおける前記ユーザ装置が実行するタイマ値決定方法であって、
所定のタイマに設定されるタイマ値を決定するタイマ値決定ステップと、
前記複数の基地局から順次受信する前記ベアラのデータに抜けがあることを検出した場合に、前記所定のタイマを起動し、当該所定のタイマが満了するまでの間、前記抜けのデータを受信するまで、後続のデータの処理を中断して前記抜けのデータの受信を待つ制御を行う受信ステップと、を有し、
前記タイマ値決定ステップにおいて、前記ユーザ装置は、前記複数の基地局における複数のタイマ値のうち、対応する基地局又はセルグループのインデックスが最大又は最小のタイマ値を、前記所定のタイマに設定する１つのタイマ値として決定する
ことを特徴とするタイマ値決定方法。
【請求項５】
１つのベアラのデータが複数の基地局間で分配され、当該分配されたベアラのデータが当該複数の基地局からユーザ装置に送信される移動通信システムにおける前記ユーザ装置が実行するタイマ値決定方法であって、
所定のタイマに設定されるタイマ値を決定するタイマ値決定ステップと、
前記複数の基地局から順次受信する前記ベアラのデータに抜けがあることを検出した場合に、前記所定のタイマを起動し、当該所定のタイマが満了するまでの間、前記抜けのデータを受信するまで、後続のデータの処理を中断して前記抜けのデータの受信を待つ制御を行う受信ステップと、を有し、
前記タイマ値決定ステップにおいて、前記ユーザ装置は、前記複数の基地局における各基地局から受信するデータの到来数又は到来頻度を測定し、当該測定結果と前記複数の基地局における複数のタイマ値とに基づいて、前記所定のタイマに設定する１つのタイマ値を決定する
ことを特徴とするタイマ値決定方法。
【発明の詳細な説明】
【技術分野】
【０００１】
本発明は、ユーザ装置が複数の基地局と通信を行うように構成される移動通信システムに関連するものである。
【背景技術】
【０００２】
ＬＴＥシステムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
図１に示すように、ＬＴＥのＲｅｌ−１０までのＣＡでは、同一基地局ｅＮＢ配下の複数のＣＣを用いている。
【０００６】
一方、Ｒｅｌ−１２ではこれを拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ＵＥは、２つの物理的に異なる基地局ｅＮＢの無線リソースを同時に使用して通信を行う。
【０００７】
Ｄｕａｌ  ｃｏｎｎｅｃｔｉｖｉｔｙは、ＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、Ｄｕａｌ  ｃｏｎｎｅｃｔｉｖｉｔｙの例を示す。図２の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙ（以下、ＤＣ）を実現している。
【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【０００９】
このようなＤＣにおける通信形態の１つとして、１つのベアラを複数ｅＮＢに分配するスプリットベアラ（Ｓｐｌｉｔ  Ｂｅａｒｅｒ）がある。基地局ＭｅＮＢがベアラを分配するアンカーノードとして利用される場合、図３に示されるように、基地局ＭｅＮＢは、Ｓ−ＧＷ（Ｓｅｒｖｉｎｇ  Ｇａｔｅｗａｙ）から受信したダウンリンクデータを、ＭＣＧを介しユーザ装置ＵＥに送信するデータと、ＳＣＧ（基地局ＳｅＮＢ）を経由してユーザ装置ＵＥに送信するデータとに分配する。基地局ＭｅＮＢをアンカーノードとしたスプリットベアラが設定される場合、図４に示されるように、ユーザ装置ＵＥは、基地局ＭｅＮＢのための物理レイヤ（ＰＨＹ）、ＭＡＣ（Ｍｅｄｉｕｍ  Ａｃｃｅｓｓ  Ｃｏｎｔｒｏｌ）レイヤ（ｍ−ＭＡＣ）及びＲＬＣ（Ｒａｄｉｏ  Ｌｉｎｋ  Ｃｏｎｔｒｏｌ）レイヤ（ｍ−ＲＬＣ）と、基地局ＳｅＮＢのためのＰＨＹレイヤ、ｓ−ＭＡＣレイヤ及びｓ−ＲＬＣレイヤと、ｍ−ＲＬＣレイヤ及びｓ−ＲＬＣレイヤに接続されるＰＤＣＰレイヤとを有する。
【先行技術文献】
【非特許文献】
【００１０】
【非特許文献１】３ＧＰＰ  ＴＲ  ３６．８４２  Ｖ１２．０．０  （２０１３−１２）
【発明の概要】
【発明が解決しようとする課題】
【００１１】
基地局ＭｅＮＢから受信したデータ（ＲＬＣ  ＳＤＵ（＝ＰＤＣＰ  ＰＤＵ））と基地局ＳｅＮＢから受信したデータは、ＰＤＣＰレイヤ（ＰＤＣＰエンティティ）においてリオーダリングされ、上位レイヤに送出される。リオーダリングにおいて、ユーザ装置ＵＥ（ＰＤＣＰエンティティ）は、あるＳＮ（シーケンス番号）のＰＤＣＰ  ＰＤＵの抜けを検知した場合に、後続のＰＤＣＰ  ＰＤＵの処理を中断（ｓｕｓｐｅｎｄ）して当該ＰＤＣＰ  ＰＤＵの受信を待ち、当該ＰＤＣＰ  ＰＤＵを受信したら、正しい順番でＰＤＣＰ  ＰＤＵを上位レイヤに渡す処理を行う。
【００１２】
上記のリオーダリングを実施する時には、ＰＤＣＰエンティティはリオーダリングタイマを用いる。ベアラスプリット実施時において、リオーダリングタイマを用いる処理の例を図５に示す。図５の例では、ユーザ装置ＵＥ（ＰＤＣＰエンティティ）は、ＳＮ＝０のＰＤＣＰ  ＰＤＵを受信する前に、ＳＮ＝１のＰＤＣＰ  ＰＤＵを基地局ＭｅＮＢから受信することで、ＳＮ＝０のＰＤＣＰ  ＰＤＵの抜けを検知する。
【００１３】
ユーザ装置ＵＥは、抜けを検知した時点で、リオーダリングタイマを起動し、当該タイマ起動中は後続のＰＤＣＰ  ＰＤＵの処理を中断（ｓｕｓｐｅｎｄ）する。図５の例では、タイマ満了までＳＮ＝０の受信ができず、ＳＮ＝０の受信を諦めることが示されている。ＳＮ＝０の受信を諦めた後は、例えば、ＳＮ＝０が抜けた状態で、ＰＤＣＰ  ＰＤＵの処理を再開する（ＰＤＣＰ  ＰＤＵを上位レイヤに渡す等）。
【００１４】
また、図５の例では、ＳＮ＝０は、ＭｅＮＢからＳｅＮＢを経由してユーザ装置ＵＥに送信されることとされており、ＳｅＮＢから、ＲＬＣ  ＳＤＵを組み立てるために必要なＲＬＣ  ＰＤＵを送信・再送するＲＬＣ送信と、その下位のＭＡＣ送信（送信・再送）を行うことが示される。図５の例では、１ＲＬＣ送信あたりＭＡＣ送信が４回行われ、１ＰＤＣＰ  ＰＤＵあたりＲＬＣ送信が５回行われることが示されている。リオーダリングタイマに設定されるタイマ値としては、再送データをできるだけ救うとした場合、Ｘ２インタフェース（基地局間通信）遅延及び、ＲＬＣ／ＭＡＣ再送分を見込んだ値を設定する。
【００１５】
このように、スプリットベアラのリオーダリング処理に用いるリオーダリングタイマのタイマ値には、ＰＤＣＰレイヤ以下の再送分（ＭＡＣ再送＋ＲＬＣ再送分）を見込む必要があるが、ユーザ装置ＵＥが複数ｅＮＢと通信するＤＣを行う場合、ｅＮＢ毎にこれらの再送回数等が異なるため、ｅＮＢ毎に設定すべきリオーダリングタイマの値が異なることになる。
【００１６】
一例として、図６に示す状況を例にとって説明する。図６に示す例では、ユーザ装置ＵＥに対して、基地局ＭｅＮＢ、ＳｅＮＢ＃１、ＳｅＮＢ＃２の３つのｅＮＢを用いるＤＣが設定されている。そして、図６の場合、ユーザ装置ＵＥは、ＳＮ＝０、１のＰＤＣＰ  ＰＤＵを受信する前に、ＭｅＮＢからＳＮ＝２のＰＤＣＰ  ＰＤＵを受信したことで、抜けを検知する。抜けたデータＳＮ＝０、１は、それぞれＭｅＮＢ、ＳｅＮＢ＃１、ＳｅＮＢ＃２のいずれかから受信するが、各ｅＮＢに対して設定すべきリオーダリングタイマの値は異なるので、ユーザ装置ＵＥはどの値をリオーダリングタイマの値として使用すべきか不明である。
【００１７】
図６の例では、データＳＮ＝０、１が、それぞれＳｅＮＢ＃２とＳｅＮＢ＃１から送信されることとしており、ＳｅＮＢ＃２はＲＬＣ再送を３回行い、ＳｅＮＢ＃１は再送を行わないことを示している。この場合、ＳｅＮＢ＃２に対するリオーダリングタイマ値は、ＳｅＮＢ＃１に対するリオーダリングタイマ値よりも長い値が設定されることが想定されるが、このような状況において、ユーザ装置ＵＥが、リオーダリングタイマ値をどのように設定すべきであるかが明確でなく、ユーザ装置ＵＥは正常に動作できない可能性があるという問題がある。
【００１８】
本発明は上記の点に鑑みてなされたものであり、１つのベアラのデータが複数の基地局間で分配され、当該分配されたベアラのデータが当該複数の基地局からユーザ装置に送信される移動通信システムにおいて、ユーザ装置が、データの抜けを検知した場合における当該データの受信を待つためのタイマ値を適切に決定することを可能とする技術を提供することを目的とする。
【課題を解決するための手段】
【００１９】
本発明の実施の形態によれば、  １つのベアラのデータが複数の基地局間で分配され、当該分配されたベアラのデータが当該複数の基地局からユーザ装置に送信される移動通信システムにおける前記ユーザ装置であって、
前記複数の基地局から順次受信する前記ベアラのデータに抜けがあることを検出した場合に、タイマを起動し、当該タイマが満了するまでの間、前記抜けのデータを受信するまで、後続のデータの処理を中断して前記抜けのデータの受信を待つ制御を行う受信部と、
前記複数の基地局における複数のタイマ値に基づいて、前記タイマに設定する１つのタイマ値を決定するタイマ値決定部とを備え、
前記タイマ値決定部は、前記複数のタイマ値のうち、対応する基地局又はセルグループのインデックスが最大又は最小のタイマ値を前記１つのタイマ値として決定する
ことを特徴とするユーザ装置が提供される。
【００２０】
また、本発明の実施の形態によれば、  １つのベアラのデータが複数の基地局間で分配され、当該分配されたベアラのデータが当該複数の基地局からユーザ装置に送信される移動通信システムにおける前記ユーザ装置が実行するタイマ値決定方法であって、
所定のタイマに設定されるタイマ値を決定するタイマ値決定ステップと、
前記複数の基地局から順次受信する前記ベアラのデータに抜けがあることを検出した場合に、前記所定のタイマを起動し、当該所定のタイマが満了するまでの間、前記抜けのデータを受信するまで、後続のデータの処理を中断して前記抜けのデータの受信を待つ制御を行う受信ステップと、を有し、
前記タイマ値決定ステップにおいて、前記ユーザ装置は、前記複数の基地局における複数のタイマ値のうち、対応する基地局又はセルグループのインデックスが最大又は最小のタイマ値を、前記所定のタイマに設定する１つのタイマ値として決定する
ことを特徴とするタイマ値決定方法が提供される。
【発明の効果】
【００２１】
本発明の実施の形態によれば、１つのベアラのデータが複数の基地局間で分配され、当該分配されたベアラのデータが当該複数の基地局からユーザ装置に送信される移動通信システムにおいて、ユーザ装置が、データの抜けを検知した場合における当該データの受信を待つためのタイマ値を適切に決定することを可能とする技術が提供される。
【図面の簡単な説明】
【００２２】
【図１】Ｒｅｌ−１０までのＣＡを示す図である。
【図２】Ｄｕａｌ  ｃｏｎｎｅｃｔｉｖｉｔｙの例を示す図である。
【図３】基地局ＭｅＮＢをアンカーノードとするスプリットベアラを説明するための図である。
【図４】スプリットベアラにおけるプロトコル構成を示す図である。
【図５】リオーダリングタイマの動作を説明するための図である。
【図６】課題を説明するための図である。
【図７】本発明の実施の形態における通信システムの構成図である。
【図８】本実施の形態における処理シーケンス例を示す図である。
【図９】リオーダリングタイマ値を静的に決定する方法を説明するための図である。
【図１０】リオーダリングタイマ値を動的に決定する方法を説明するための図である。
【図１１】ユーザ装置ＵＥの構成図である。
【図１２】ユーザ装置ＵＥの動作例を示す図である。
【発明を実施するための形態】
【００２３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、図４で説明したＰＤＣＰエンティティにおけるリオーダリングを対象としているが、本発明は、ＰＤＣＰレイヤに限らず適用が可能である。
【００２４】
また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２５】
（システム構成）
図７は、本発明の実施の形態における通信システムの構成例を示す図である。図７に示すように、当該通信システムは、それぞれコアネットワーク１０に接続される基地局ＭｅＮＢ、基地局ＳｅＮＢ＃１、及び基地局ＳｅＮＢ＃２を備え、ユーザ装置ＵＥとの間でＤＣを設定することを可能としている。また、基地局ＭｅＮＢと、基地局ＳｅＮＢ＃１、＃２との間は、Ｘ２インターフェースにより通信可能であり、基地局ＭｅＮＢにおいてベアラのデータが、基地局ＳｅＮＢ＃１、＃２に分配されることで、スプリットベアラが行われる。以下、記述を簡潔にするために、基地局ＭｅＮＢ、基地局ＳｅＮＢ＃１、基地局ＳｅＮＢ＃２はそれぞれ、ＭｅＮＢ、ＳｅＮＢ＃１、ＳｅＮＢ＃２と記述することにする。
【００２６】
図７に示す通信システムにおいて、例えば、ＭＣＧをマクロセルとし、ＳＣＧ（＃１、＃２のそれぞれ）をスモールセルとして、ＰＣｅｌｌ、ＳＣｅｌｌ（ＰＳＣｅｌｌを含む）の設定を行うことができる。ユーザ装置ＵＥにおけるＳｅＮＢ等の追加、削除、設定変更等は、ＭｅＮＢからのＲＲＣシグナリングで行うこととするが、これに限られるわけではない。
【００２７】
図７の例は、ＭｅＮＢ、ＳｅＮＢ＃１、＃２の３ｅＮＢのＤＣ構成であるが、ＭｅＮＢと１つのＳｅＮＢのＤＣ構成でも本発明を適用できるし、ＳｅＮＢの数が３以上のＤＣ構成であっても本発明を適用できる。
【００２８】
（処理シーケンス例）
図８を参照して、本実施の形態における通信システムの処理シーケンスの一例を説明する。
【００２９】
ステップ１０１において、例えば、ＭｅＮＢは、ユーザ装置ＵＥから受信した品質測定結果に基づいて、ＳｅＮＢ＃１（ＳＣＧ＃１）とＳｅＮＢ＃２（ＳＣＧ＃２）を追加することにより、ユーザ装置ＵＥに対してＤＣを設定することを決定する。
【００３０】
ＭｅＮＢは、ＳｅＮＢ＃１、＃２のそれぞれに対して、ＳｅＮＢ追加要求（ＳｅＮＢ  ａｄｄｉｔｉｏｎ  ｒｅｑｕｅｓｔ）を送信し、ＳｅＮＢ＃１、＃２のそれぞれから確認応答（ＳｅＮＢ  ａｄｄｉｔｉｏｎ  ｒｅｑｕｅｓｔ  ａｃｋ）を受信する（ステップ１０２〜１０５）。
【００３１】
ＭｅＮＢは、ユーザ装置ＵＥに対してＳｅＮＢ追加指示（ＲＲＣ  ｃｏｎｎｅｃｔｉｏｎ  ｒｅｃｏｎｆｉｇｕｒａｔｉｏｎ）を送信する（ステップ１０６）。ＳｅＮＢ追加指示を受信したＭｅＮＢは、ＳｅＮＢ（ＳＣＧ）追加の設定を実施し、完了応答（ＲＲＣ  ｃｏｎｎｅｃｔｉｏｎ  ｒｅｃｏｎｆｉｇｕｒａｔｉｏｎ  ｃｏｍｐｌｅｔｅ）をＭｅＮＢに返す（ステップ１０７）。
【００３２】
本実施の形態では、ステップ１０３、１０５で、ＭｅＮＢは、各ＳｅＮＢのリオーダリングタイマ値（以下、タイマ値）を受信し、ステップ１０６で、ＭｅＮＢ、ＳｅＮＢ＃１、＃２の３つのタイマ値をユーザ装置ＵＥに通知する。各タイマ値は、各ｅＮＢにおいて予め設定されているものとする。なお、本例では、このように、ＲＲＣシグナリングでｅＮＢのタイマ値をユーザ装置ＵＥに通知することとしているが、例えば、各ｅＮＢからユーザ装置ＵＥに対してＭＡＣ信号やその他の信号でタイマ値を通知することとしてもよい。
【００３３】
ステップ１０７の後、ユーザ装置ＵＥは、ＭｅＮＢ、ＳｅＮＢ＃１、ＳｅＮＢ２との間ｄでのＤＣ通信を実施する（ステップ１０８〜１１０）。図８に示す点線は、スプリットベアラが実行されていることを示す。
【００３４】
スプリットベアラによるＤＣ通信が行われているときに、ユーザ装置ＵＥが、データ（ＰＤＣＰ  ＰＤＵ）の抜けを検知したとする（ステップ１１１）。例えば、ＳＮ＝０のデータを受信せずに、ＳＮ＝１のデータを受信したような場合である。なお、ユーザ装置ＵＥが、あるＳＮ番号のデータを受信しないことを検知した場合、例えば、再送を要求する信号がユーザ装置ＵＥから各ｅＮＢに送信される。
【００３５】
ステップ１１２において、ユーザ装置ＵＥは、ＳＮ＝０のデータの受信待ちを行うためのタイマへの設定に使用する使用タイマ値（リオーダリングタイマ値）を決定する。なお、ここでは、使用タイマ値を、データの抜けを検知した時点で決定することとしているが、使用タイマ値決定のタイミングはこれに限られず、例えば、ステップ１０６のＤＣ設定時に決定し、保持しておくこととしてもよい。
【００３６】
ステップ１１３では、ステップ１１２で決定したタイマ値を設定したタイマを起動し、後続のデータの処理を中断するとともに、タイマ満了までに、抜けのデータを受信しなければ、当該データの受信を諦めて、受信したデータの処理を再開する。もしも、タイマ満了までに、抜けのデータを受信した場合は、その時点でタイマを停止して、受信したデータの処理を再開する。
【００３７】
（使用タイマ値の決定方法）
上記ステップ１１２における使用タイマ値の決定方法として、静的に決定する方法（決定方法例１）と、動的に決定する方法（決定方法例２）を説明する。
【００３８】
なお、静的に決定する方法は、処理が簡易であり、実装が容易であるという利点がある。一方、動的に決定する方法は、その時々の通信状況に応じて適切なタイマ値を決定できるという利点がある。
【００３９】
＜決定方法例１：静的に使用タイマ値を決定＞
静的に使用タイマ値を決定する場合、例えば、図９（ａ）に示すように、ユーザ装置ＵＥは、ＭｅＮＢから通知された各ｅＮＢのタイマ値のうちの最長のタイマ値を、リオーダリングに使用するタイマ値として決定する。これにより、再送データを受信する機会が増えるという利点がある。また、逆に、ＭｅＮＢから通知された各ｅＮＢのタイマ値のうちの最短のタイマ値を、リオーダリングに使用するタイマ値として決定することとしてもよい。この場合、抜けデータを待つ時間を短くして、迅速に受信を行うことができるという利点がある（抜けデータについては上位レイヤで解決）。
【００４０】
また、図９（ｂ）に示すように、ユーザ装置ＵＥが、ＭｅＮＢから通知された各ｅＮＢのタイマ値のうち、ＣＧインデックス値（又はｅＮＢインデックス値）が最小のｅＮＢのタイマ値を使用タイマ値として決定してもよいし、ＭｅＮＢから通知された各ｅＮＢのタイマ値のうち、ＣＧインデックス値（又はｅＮＢインデックス値）が最大のｅＮＢのタイマ値を使用タイマ値として決定してもよい。また、図９（ｃ）に示すように、各ｅＮＢのタイマ値の平均値を使用タイマ値として決定してもよい。
【００４１】
また、どのタイマ値を、使用タイマ値とするかが、ＭｅＮＢから通知され、ユーザ装置ＵＥは、その通知内容に基づいて使用タイマ値を決定してもよい。この通知は、例えば、ＤＣ設定時（図８のステップ１０６）に行ってもよいし、他のタイミングで行ってもよい。通知内容は、例えば、「最長／最短の値を選択」、「ＣＧインデックスが最小／最大のものを選択」、「平均」のように、上記の決定方法の具体的内容を指示するものであってもよいし、ＭｅＮＢにおいて選択したタイマ値そのものであってもよい。
【００４２】
なお、上記の例においては、図７に示したように、３つのｅＮＢを使用することを前提としたために、３つのタイマ値に基づいて使用タイマ値を決定しているが、抜けのデータを送信するｅＮＢの数が限られる場合には、当該限られた数のｅＮＢのタイマ値に基づいて使用タイマ値を決定してもよい。例えば、ＳＮ＝０とＳＮ＝１のデータを受信する前に、ＭｅＮＢからＳＮ＝２のデータを受信した場合において、ＭｅＮＢからはＳＮ＝２より前のデータを受信しないことがわかっている場合には、ＳｅＮＢ＃１のタイマ値とＳｅＮＢ＃２のタイマ値とに基づいて、上記の方法（最短／最長、インデックス最大／最少、平均等）で使用タイマ値を決定することとしてもよい。この点は、下記の決定方法例２についても同様である。
【００４３】
＜決定方法例２：動的に使用タイマ値を決定＞
次に、動的に使用タイマ値を決定する決定方法例２について図１０を参照して説明する。図１０に示すように、ユーザ装置ＵＥは、ＭｅＮＢ、ＳｅＮＢ＃１、及びＳｅＮＢ＃２と通信を行い、データを受信する中で、ｅＮＢ毎に、データの到来数又はデータの到来頻度を測定する（ステップ２０１）。データの到来数とは、例えば、所定期間（例：所定周期の期間）に受信したデータ（例：ＰＤＣＰ  ＰＤＵ）の総数である。また、データの到来頻度とは、例えば、所定期間（例：所定周期の期間）における、単位時間当たりの受信データの数である。
【００４４】
ステップ２０２において、ユーザ装置ＵＥは、ステップ２０１で得られたｅＮＢ毎の測定値に基づいて、各ｅＮＢのタイマ値の重みを決定する。ステップ２０２は、周期的に実行してもよいし、イベントトリガ（例：新規ＳｅＮＢ追加、既存ＳｅＮＢ削除、抜けデータを検知したとき）で実行してもよい。なお、新規ＳｅＮＢ追加を重み算出のイベントトリガとする場合、追加されたＳｅＮＢについての測定値が得られた後に重みを算出することとしてよい。
【００４５】
ステップ２０２の重みの計算方法は特定の方法に限定されないが、例えば、ステップ２０１における測定結果ｋが、ＭｅＮＢ＝ｋ１、ＳｅＮＢ＃１＝ｋ２、ＳｅＮＢ＃２＝ｋ３である場合において、ＭｅＮＢに対する重みをｋ１／（ｋ１＋ｋ２＋ｋ３）とし、ＳｅＮＢ＃１に対する重みをｋ２／（ｋ１＋ｋ２＋ｋ３）とし、ＳｅＮＢ＃２に対する重みをｋ３／（ｋ１＋ｋ２＋ｋ３）とすることができる。
【００４６】
ステップ２０３で、ユーザ装置ＵＥがデータの抜けを検知すると、ユーザ装置ＵＥは、例えば、ステップ２０２で決定した重みを用いて使用タイマ値を算出する（ステップ２０４）。なお、使用タイマ値の算出は、データの抜けの検知にかかわらず、ステップ２０２で重みを算出することと同時に行うこととしてもよい。
【００４７】
上記の例のようにして重みを算出する場合において、ＭｅＮＢ、ＳｅＮＢ＃１、ＳｅＮＢ＃２のタイマ値をそれぞれＴ１、Ｔ２、Ｔ３とすると、例えば、使用タイマ値＝Ｔ１×（ｋ１／（ｋ１＋ｋ２＋ｋ３））＋Ｔ２×（ｋ２／（ｋ１＋ｋ２＋ｋ３））＋Ｔ３×（ｋ３／（ｋ１＋ｋ２＋ｋ３））として算出できる。
【００４８】
ステップ２０５では、ステップ２０４で算出した使用タイマ値を用いてタイマ処理（抜けデータの待ち処理）が実行される。
【００４９】
決定方法例２における重みは、各ｅＮＢとの間の通信状況に応じた値として算出されるので、決定方法例２により、各ｅＮＢとの間の通信状況に応じたタイマ値を動的に決定することができる。例えば、あるｅＮＢとの間の通信状況が悪く、ほとんどデータを受信できない場合、当該ｅＮＢのタイマ値をほとんど加味することなく、リオーダリングの使用タイマ値を決定することができる。
【００５０】
なお、ユーザ装置ＵＥは、決定方法例１を実施する機能と決定方法例２を実施する機能の両方を備え、どちらの方法でタイマ値を決定するかを、ＭｅＮＢからの指示により選択することとしてもよい。
【００５１】
（ユーザ装置ＵＥの構成、動作例）
図１１に、本実施の形態に係るユーザ装置ＵＥの機能構成図を示す。図１１に示すように、ユーザ装置ＵＥは、ＤＬ信号受信部１０１、ＵＬ信号送信部１０２、ＤＣ管理部１０３、タイマ値算出部１０４、タイマ管理部１０５を含む。なお、図１１は、ユーザ装置ＵＥにおいて本発明の実施の形態に特に関連する機能部のみを示すものであり、少なくともＬＴＥに準拠した動作を行うための図示しない機能も有するものである。また、図１１に示す機能構成は一例に過ぎない。本実施の形態に係る動作を実行できるのであれば、機能区分や機能部の名称はどのようなものでもよい。
【００５２】
ＤＬ信号受信部１０１は、各ｅＮＢから各種の信号を無線受信し、受信した物理レイヤの信号からより上位のレイヤの信号を取得する機能を含む。ＵＬ信号送信部１０２は、ユーザ装置ＵＥから送信されるべき上位のレイヤの信号から、物理レイヤの各種信号を生成し、無線送信する機能を含む。
【００５３】
ＤＣ管理部１０３は、ＤＣの設定／変更／管理等の処理を行う。タイマ値算出部１０４は、これまでに説明した方法により、静的又は動的に使用タイマ値の算出を行う。つまり、静的に使用タイマ値の算出を行う場合、タイマ値算出部１０４は、ＤＬ信号受信部１０１により受信した各ｅＮＢのタイマ値から使用タイマ値を算出する。また、動的に使用タイマ値を算出する場合、タイマ値算出部１０４は、データ到来数等の測定を行うとともに、測定値に基づき重みを算出し、各ｅＮＢのタイマ値と重みとから使用タイマ値を算出する。
【００５４】
タイマ管理部１０５は、タイマ値算出部１０４により算出したタイマ値をタイマに設定し、当該タイマの起動、満了を管理する。図１１の例では、ＤＬ信号受信部１０１が、ＰＤＣＰエンティティの機能を含み、データのリオーダリング処理を行うこととしている。ＤＬ信号受信部１０１は、データの抜けを検知すると、タイマ管理部１０５にタイマ起動を指示し、タイマ満了前にデータを受信した時点でタイマ管理部１０５にタイマ停止を指示する。タイマ管理部１０５は、タイマ起動後、抜けデータ受信の通知（タイマ停止の指示）を受けずにタイマが満了したら、タイマが満了したことをＤＬ信号受信部１０１に通知する。
【００５５】
図１２に、ユーザ装置ＵＥの動作の例を示す。ステップ３０１において、ユーザ装置ＵＥは、ＭｅＮＢからの設定情報（ＳｅＮＢ追加指示等）によりＤＣの設定を行う。ステップ３０１で受信する設定情報には、スプリットベアラ設定有無の情報も含まれており、スプリットベアラ設定有の場合（ステップ３０２のＹｅｓ）、ステップ３０３において、ユーザ装置ＵＥは、これまでに説明して方法で、静的又は動的にリオーダリングで使用するタイマ値を決定する（ステップ３０３）。
【００５６】
以上、説明したように、本実施の形態では、１つのベアラのデータが複数の基地局間で分配され、当該分配されたベアラのデータが当該複数の基地局からユーザ装置に送信される移動通信システムにおける前記ユーザ装置であって、前記複数の基地局から順次受信する前記ベアラのデータに抜けがあることを検出した場合に、タイマを起動し、当該タイマが満了するまでの間、前記抜けのデータを受信するまで、後続のデータの処理を中断して前記抜けのデータの受信を待つ制御を行う受信部と、前記複数の基地局における複数のタイマ値に基づいて、前記タイマに設定する１つのタイマ値を決定するタイマ値決定部とを備えるユーザ装置が提供される。
【００５７】
上記構成により、１つのベアラのデータが複数の基地局間で分配され、当該分配されたベアラのデータが当該複数の基地局からユーザ装置に送信される移動通信システムにおいて、ユーザ装置が、データの抜けを検知した場合における当該データの受信を待つためのタイマ値を適切に決定することを可能とする技術が提供される。
【００５８】
前記タイマ値決定部は、例えば、前記複数のタイマ値のうちの最大又は最小のタイマ値を前記１つのタイマ値として決定したり、前記複数のタイマ値のうち、対応する基地局又はセルグループのインデックスが最大又は最小のタイマ値を前記１つのタイマ値として決定することができる。これらの構成のように、静的にタイマ値を決定することにより、簡易な実装で１つのタイマ値を明確に決定することが可能となる。
【００５９】
また、前記タイマ値決定部は、前記複数のタイマ値の平均を前記１つのタイマ値として決定することとしてもよい。この構成では、簡易にかつ、各基地局のタイマ値を加味した１つのタイマ値を決定できる。
【００６０】
前記タイマ値決定部は、前記複数の基地局のうちの所定の基地局からの指示に基づいて前記１つのタイマ値を決定することとしてもよい。この構成により、基地局からの制御を加味して、１つのタイマ値を決定できる。
【００６１】
また、前記タイマ値決定部は、前記複数の基地局における各基地局から受信するデータの到来数又は到来頻度を測定し、当該測定結果と前記複数のタイマ値とに基づいて前記１つのタイマ値を決定することとしてもよい。この構成により、動的に変化する通信状況に応じたタイマ値を決定することができ、通信状況に適した動作を実行することが可能となる。
【００６２】
前記タイマ値決定部は、前記到来数又は到来頻度に基づいて、前記複数のタイマ値における各タイマ値に対する重みを算出し、当該重みを各タイマ値に加味することにより前記１つのタイマ値を決定することとしてもよい。この構成により、前記到来数又は到来頻度を適切にタイマ値算出に反映できる。
【００６３】
本実施の形態で説明したユーザ装置ＵＥの機能構成は、ＣＰＵとメモリを備えるユーザ装置ＵＥにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００６４】
本実施の形態で説明した各基地局についても、ＣＰＵとメモリを備える基地局において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００６５】
（第１項）
１つのベアラのデータが複数の基地局間で分配され、当該分配されたベアラのデータが当該複数の基地局からユーザ装置に送信される移動通信システムにおける前記ユーザ装置であって、
前記複数の基地局から順次受信する前記ベアラのデータに抜けがあることを検出した場合に、タイマを起動し、当該タイマが満了するまでの間、前記抜けのデータを受信するまで、後続のデータの処理を中断して前記抜けのデータの受信を待つ制御を行う受信部と、
前記複数の基地局における複数のタイマ値に基づいて、前記タイマに設定する１つのタイマ値を決定するタイマ値決定部と
を備えることを特徴とするユーザ装置。
（第２項）
前記タイマ値決定部は、前記複数のタイマ値のうちの最大又は最小のタイマ値を前記１つのタイマ値として決定する
ことを特徴とする第１項に記載のユーザ装置。
（第３項）
前記タイマ値決定部は、前記複数のタイマ値のうち、対応する基地局又はセルグループのインデックスが最大又は最小のタイマ値を前記１つのタイマ値として決定する
ことを特徴とする第１項に記載のユーザ装置。
（第４項）
前記タイマ値決定部は、前記複数のタイマ値の平均を前記１つのタイマ値として決定する
ことを特徴とする第１項に記載のユーザ装置。
（第５項）
前記タイマ値決定部は、前記複数の基地局のうちの所定の基地局からの指示に基づいて前記１つのタイマ値を決定する
ことを特徴とする第１項ないし第４項のうちいずれか１項に記載のユーザ装置。
（第６項）
前記タイマ値決定部は、前記複数の基地局における各基地局から受信するデータの到来数又は到来頻度を測定し、当該測定結果と前記複数のタイマ値とに基づいて前記１つのタイマ値を決定する
ことを特徴とする第１項ないし第５項のうちいずか１項に記載のユーザ装置。
（第７項）
前記タイマ値決定部は、前記到来数又は到来頻度に基づいて、前記複数のタイマ値における各タイマ値に対する重みを算出し、当該重みを各タイマ値に加味することにより前記１つのタイマ値を決定する
ことを特徴とする第６項に記載のユーザ装置。
（第８項）
１つのベアラのデータが複数の基地局間で分配され、当該分配されたベアラのデータが当該複数の基地局からユーザ装置に送信される移動通信システムにおける前記ユーザ装置が実行するタイマ値決定方法であって、
所定のタイマに設定されるタイマ値を決定するタイマ値決定ステップと、
前記複数の基地局から順次受信する前記ベアラのデータに抜けがあることを検出した場合に、前記所定のタイマを起動し、当該所定のタイマが満了するまでの間、前記抜けのデータを受信するまで、後続のデータの処理を中断して前記抜けのデータの受信を待つ制御を行う受信ステップと、を有し、
前記タイマ値決定ステップにおいて、前記ユーザ装置は、前記複数の基地局における複数のタイマ値に基づいて、前記所定のタイマに設定する１つのタイマ値を決定する
ことを特徴とするタイマ値決定方法。
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥと基地局は機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００６６】
本発明は上記実施形態に限定されず、本発明の精神から逸脱することなく、様々な変形例、修正例、代替例、置換例等が本発明に包含される。
【符号の説明】
【００６７】
ＭｅＮＢ、ＳｅＮＢ  基地局
ＵＥ  ユーザ装置
１０１  ＤＬ信号受信部
１０２  ＵＬ信号送信部
１０３  ＤＣ管理部
１０４  タイマ値算出部
１０５  タイマ管理部
【図１】
0006396727.tif 000002
【図２】
0006396727.tif 000003
【図３】
0006396727.tif 000004
【図４】
0006396727.tif 000005
【図５】
0006396727.tif 000006
【図６】
0006396727.tif 000007
【図７】
0006396727.tif 000008
【図８】
0006396727.tif 000009
【図９】
0006396727.tif 000010
【図１０】
0006396727.tif 000011
【図１１】
0006396727.tif 000012
【図１２】
0006396727.tif 000013